(57)【要約】【課題】アンテナデバイスを提供する。【解決手段】アンテナデバイスは、複数の第一アンテナユニット、複数の第二アンテナユニット、複数の第一スイッチング回路及び複数の第二スイッチング回路を含む。複数の第一アンテナユニットは、第一周波数で操作するＲＦ信号を生成する。複数の第二アンテナユニットは、周波数で操作するＲＦ信号を生成し、第一周波数は第二周波数より大きい。複数の第一スイッチング回路は、少なくとも１つの第一アンテナユニットを選択的に導通するのに用い、複数の第一スイッチング回路のそれぞれは、第一スイッチユニット及び第二スイッチユニットを含み、第一スイッチユニットとインダクタと並列に設けられ、第二スイッチユニットは、別のインダクタと並列に設けられる。複数の第二スイッチング回路は、少なくとも１つの第二アンテナユニットを選択的に導通するのに用いる。【選択図】図１
2020061730.tif 000002
【特許請求の範囲】
【請求項１】
第一周波数で操作するＲＦ信号を生成する複数の第一アンテナユニットと、
それぞれ前記複数の第一アンテナユニットの対応する１つに結合し、第二周波数で操作するＲＦ信号を生成する複数の第二アンテナユニットと、
それぞれ前記複数の第一アンテナユニットに結合し、制御回路からの複数の制御信号に基づき、前記複数の第一アンテナユニットの少なくとも１つを選択的に導通するのに用いる複数の第一スイッチング回路と、
それぞれ前記複数の第二アンテナユニットに結合し、前記複数の制御信号に基づき前記複数の第二アンテナユニットの少なくとも１つを選択的に導通するのに用いる複数の第二スイッチング回路と、
を含み、
前記第一周波数は、前記第二周波数より大きく、
前記複数の第一スイッチング回路のそれぞれは、第一スイッチユニット及び第二スイッチユニットを含み、前記第一スイッチユニットは、インダクタと並列に設けられ、前記第二スイッチユニットは、別のインダクタと並列に設けられる、
アンテナデバイス。
【請求項２】
前記複数の第一スイッチング回路のそれぞれは、
前記第一スイッチユニットに結合し、前記第二周波数で操作するＲＦ信号が、前記第一アンテナユニットが生成する放射パターンに影響することを阻止するのに用いるフィルタを更に含む、
請求項１に記載のアンテナデバイス。
【請求項３】
前記複数の第一スイッチング回路のそれぞれは、
それぞれ前記複数の第一アンテナユニットに結合し、前記第一スイッチユニットまたは前記第二スイッチユニットと並列または直列に結合し、前記複数の制御信号の間の相互干渉を阻止し、前記第一操作周波数で操作するＲＦ信号の相互干渉を阻止する複数の第一インピーダンスユニットを更に含み、
前記複数の第二スイッチング回路のそれぞれは、
第三スイッチユニット及び第四スイッチユニットと、
それぞれ前記複数の第二アンテナユニットに結合し、前記第三スイッチユニットまたは前記第四スイッチユニットと並列または直列に結合し、前記複数の制御信号の間の相互干渉を阻止し、前記第二操作周波数で操作するＲＦ信号の相互干渉を阻止する複数の第二インピーダンスユニットと、を更に含む、
請求項１に記載のアンテナデバイス。
【請求項４】
前記複数の第一インピーダンスユニットは、複数のキャパシタ及び複数のインダクタを含み、前記複数のキャパシタは、前記複数の制御信号の相互干渉を阻止するのに用い、前記複数のインダクタは、ＲＦ信号の相互干渉を阻止するのに用いる、
請求項３に記載のアンテナデバイス。
【請求項５】
前記複数の第一スイッチング回路のそれぞれは、
第一端は前記複数の制御信号の対応する１つを受信するのに用いる第一インダクタと、
第一端は前記第一インダクタの第二端に結合し、前記第一スイッチユニットの第一端は、前記第一インダクタの第二端及び第一端に結合する第二インダクタと、
第一端は、前記第二インダクタの第二端及び前記第一スイッチユニットの第二端に結合し、第二端は、信号供給点からのＲＦ信号を受信する第一キャパシタと、
第一端は、前記第二インダクタの第二端、前記第一スイッチユニットの第二端及び前記第一キャパシタの第一端に結合する第三インダクタと、
第一端は、前記第三インダクタの第二端に結合し、前記第二スイッチユニットの第一端は、前記第三インダクタの第二端及び第一端に結合する第四インダクタと、
第一端は、前記第三インダクタの第二端、前記第四インダクタの第一端及び前記第二スイッチユニットの第一端に結合し、第二端は、アンテナ接地端に結合する第二キャパシタと、
第一端は、前記第四インダクタの第二端及び前記第二スイッチユニットの第二端に結合し、第二端は接地する第五インダクタと、
第一端は、前記第五インダクタの第二端に結合して接地する第三キャパシタと、
第一端は、前記第三キャパシタの第一端に結合して接地し、第二端は、前記第三キャパシタの第二端に結合する第六インダクタと、を含む、
請求項１に記載のアンテナデバイス。
【請求項６】
前記複数の第二スイッチング回路のそれぞれは、
第一端は、前記複数の制御信号の対応する１つを受信するのに用いる第一インダクタと、
第一端は、前記第一インダクタの第二端に結合する第二インダクタと、
第一端は、前記第二インダクタの第二端に結合する第三インダクタと、
第一端は、前記第二インダクタの第二端及び前記第三インダクタの第一端に結合し、第二端は、前記第三インダクタの第二端に結合する第一キャパシタと、
第一端は、前記第三インダクタの第二端及び前記第一キャパシタの第二端に結合する第三スイッチユニットと、
第一端は、前記第三スイッチユニットの第二端に結合する第四インダクタと、
第一端は、前記第三スイッチユニットの第二端及び前記第四インダクタの第一端に結合し、第二端は、前記第四インダクタの第二端に結合する第二キャパシタと、
第一端は、前記第二キャパシタの第二端及び前記第四インダクタの第二端に結合する第三キャパシタと、
第一端は、前記第二キャパシタの第二端及び前記第四インダクタの第二端に結合する第五インダクタと、
第一端は、前記第二キャパシタの第二端及び前記第四インダクタの第二端に結合する第四キャパシタと、
第一端は、前記第四キャパシタの第二端に結合する第六インダクタと、
第一端は、前記第二キャパシタの第二端及び前記第四インダクタの第二端に結合し、第二端は、アンテナ接地端に結合する第五キャパシタと、
第一端は、前記第三キャパシタの第二端、前記第五インダクタの第二端及び前記第六インダクタの第二端に結合する第六キャパシタと、
第一端は、前記第三キャパシタの第二端、前記第五インダクタの第二端、前記第六インダクタの第二端及び前記第六キャパシタの第一端に結合する第七インダクタと、
第一端は、前記第三キャパシタの第二端、前記第五インダクタの第二端、前記第六インダクタの第二端、前記第六キャパシタの第一端及び第七インダクタの第一端に結合し、第二端は、前記アンテナ供給点からのＲＦ信号を受信するのに用いる第七キャパシタと、
第一端は、前記第六キャパシタの第二端及び前記第七インダクタの第二端に結合する第四スイッチユニット，
第一端は、前記第四スイッチユニットの第二端に結合する第八インダクタと、
第一端は、前記第八インダクタの第一端に結合し、第二端は、前記第八インダクタの第二端に結合する第八キャパシタと、
第一端は、前記第八インダクタの第二端及び前記第八キャパシタの第二端に結合する第九インダクタと、
第一端は、前記第九インダクタの第二端に結合し、第二端は、接地する第十インダクタと、を含む、
請求項１に記載のアンテナデバイス。
【請求項７】
前記複数の第一アンテナユニットのそれぞれは、
基板の第一表面に設けられる第一放射体と、
前記第一放射体に結合し、前記基板の第二表面に設けられる第二放射体と、を含み、
前記第一表面は前記第二表面に対向し、
前記複数の第二アンテナユニットのそれぞれは、
前記基板の前記第一表面に設けられる第三放射体と、
前記第三放射体に結合し、前記基板の前記第二表面に設けられる第四放射体と、を含む、
請求項１に記載のアンテナデバイス。
【請求項８】
基板に結合する複数の反射ユニットを更に含み、前記複数の反射ユニットそれぞれは、前記複数の第一アンテナユニットの両側及び前記複数の第二アンテナユニットの両側に設けられ、前記複数の第一アンテナユニット及び前記複数の第二アンテナユニットそれぞれが生成する放射パターンを調整するのに用いる、
請求項１に記載のアンテナデバイス。
【請求項９】
複数本の伝送線を更に含み、前記複数本の伝送線のそれぞれは信号供給点、前記複数の第一アンテナユニットの対応する１つ及び前記複数の第二アンテナユニットの対応する１つに接続される、
請求項１に記載のアンテナデバイス。
【請求項１０】
前記複数の第一アンテナユニットのうちの１つ、前記複数の第二アンテナユニットの対応する１つは、前記複数の伝送線の対応する１つとＦ形を示すように設けられ、前記信号供給点は、前記複数の伝送線の交差点に設けられ、前記複数の伝送線を介して前記複数の第一アンテナユニット及び前記複数の第二アンテナユニットに結合する、
請求項９に記載のアンテナデバイス。
【発明の詳細な説明】
【技術分野】
【０００１】
本発明は、アンテナデバイスに関し、特に、デュアル周波数ビームを切り換えるアンテナデバイスに関する。
【背景技術】
【０００２】
無線通信技術の発展と共に、如何にして周波数帯を有効的に使用するか、無線通信伝送の安定性及び通信品質を強化するかは、徐々に重要になってきている。現在、周波数帯の不足を解決する一般的な方法は、デュアルバンドアンテナを有する通信装置を使用することである。
【０００３】
しかしながら、従来のデュアルバンドアンテナは体積が大きく、高低周波間で相互に干渉するだけではなく、指向性及び前後の比（Ｆｒｏｎｔ  ｔｏ  Ｂａｃｋ  Ｒａｔｉｏ）も優れていない。
【発明の概要】
【発明が解決しようとする課題】
【０００４】
したがって、指向性及び前後の比が優れ、且つ、低周波信号と高周波信号が相互に干渉しないアンテナデバイスを如何にして設計するかは、現在の重要な目標である。
【課題を解決するための手段】
【０００５】
上記課題を解決するために、本発明が提供するアンテナデバイスは、複数の第一アンテナユニット、複数の第二アンテナユニット、複数の第一スイッチング回路及び複数の第二スイッチング回路を含む。複数の第一アンテナユニットは、第一周波数で操作するＲＦ信号を生成する。複数の第二アンテナユニットはそれぞれ複数の第一アンテナユニットの対応する１つに結合し、第二周波数で操作するＲＦ信号を生成し、第一周波数は第二周波数より大きい。複数の第一スイッチング回路は、それぞれ複数の第一アンテナユニットに結合し、複数の制御信号に基づき少なくとも１つの第一アンテナユニットを選択的に導通するのに用い、複数の第一スイッチング回路のそれぞれは、第一スイッチユニット及び第二スイッチユニットを含み、第一スイッチユニットはインダクタと並列に設けられ、第二スイッチユニットは別のインダクタと並列に設けられる。複数の第二スイッチング回路は、それぞれ複数の第二アンテナユニットに結合し、複数の制御信号に基づき少なくとも１つの第二アンテナユニットを選択的に導通するのに用いる。
【発明の効果】
【０００６】
以上より、本発明は、アンテナデバイスにおいて、複数のスイッチユニットをアンテナユニットに設けることで、複数のスイッチユニットを介して高低周波の放射パターンを切り換えることができ、好ましい前後の比（Ｆｒｏｎｔ  ｔｏ  Ｂａｃｋ  Ｒａｔｉｏ）を同時に有することを達成する。
【０００７】
本発明の上述及びその目的、特徴、利点及び実施形態を更に明確にわかりやすくするために、図面を添付した説明は以下の通りである。
【図面の簡単な説明】
【０００８】
【図１】本発明の幾つかの実施形態が図示するアンテナデバイスの立体模式図である。
【図２Ａ】本発明の幾つかの実施形態が図示するアンテナデバイスの上面図である。
【図２Ｂ】本発明の幾つかの実施形態が図示するアンテナデバイスの下面図である。
【図３Ａ】本発明の幾つかの実施形態が図示する図２Ａと図２Ｂのアンテナデバイスの部分回路図である。
【図３Ｂ】本発明の幾つかの実施形態が図示する図２Ａと図２Ｂのアンテナデバイスの部分回路図である。
【図４Ａ】本発明の幾つかの実施形態が図示するアンテナデバイスの高周波放射パターン図である。
【図４Ｂ】本発明の幾つかの実施形態が図示するアンテナデバイスの高周波放射パターン図である。
【図４Ｃ】本発明の幾つかの実施形態が図示する高周波放射パターンの図４Ａに示すアンテナデバイスの低周波放射パターン図である。
【図４Ｄ】本発明の幾つかの実施形態が図示する高周波放射パターンの図４Ｂに示すアンテナデバイスの低周波放射パターン図である。
【図５Ａ】本発明の幾つかの実施形態が図示するアンテナデバイスの低周波放射パターン図である。
【図５Ｂ】本発明の幾つかの実施形態が図示するアンテナデバイスの低周波放射パターン図である。
【図５Ｃ】本発明の幾つかの実施形態が図示する低周波放射パターンの図５Ａに示すアンテナデバイスの高周波放射パターン図である。
【図５Ｄ】本発明の幾つかの実施形態が図示する低周波放射パターンの図５Ｂに示すアンテナデバイスの高周波放射パターン図である。
【図６Ａ】本発明の幾つかの実施形態が図示するアンテナデバイスの高周波放射パターン図である。
【図６Ｂ】本発明の幾つかの実施形態が図示するアンテナデバイスの高周波放射パターン図である。
【図６Ｃ】本発明の幾つかの実施形態が図示する高周波放射パターンの図６Ａに示すアンテナデバイスの低周波放射パターン図である。
【図６Ｄ】本発明の幾つかの実施形態が図示する高周波放射パターンの図６Ｂに示すアンテナデバイスの低周波放射パターン図である。
【発明を実施するための形態】
【０００９】
本発明の記述を更に詳しく完全なものとするために、添付図面及び以下の各実施形態を参照できる。一方、本発明に対する不要な限定を避けるために、多くの周知の部材及び工程は、実施形態に記述しない。
【００１０】
以下、各実施形態において使用される「結合」または「接続」について、二つ以上の部材を相互に「直接」物理的に接触する、または電気的に接続する、または相互に「間接的に」物理的に的に接触する、または電気的に接続することを指してもよく、二つ以上の部材を相互に動作することを指してもよい。
【００１１】
幾つかの実施形態において、本発明が開示するアンテナデバイス１００は、放射パターンを調整可能な的アンテナデバイス１００であり、ユーザーがいる位置を検出してアンテナデバイス１００が生成する高低周波毎の放射パターンを調整して、大きな伝送効率を達成できる。
【００１２】
図１は、本発明の幾つかの実施形態が図示するアンテナデバイス１００の立体模式図である。図１に示すように、幾つかの実施形態において、アンテナデバイス１００は、接地面１６０に設けられ、接続されている４本の柱１７０を介して接地面１６０に接続されている。幾つかの実施形態において、アンテナデバイス１００は、水平偏波アンテナデバイスであり、水平方向の放射を生成するのに用いる。
【００１３】
幾つかの実施形態において、アンテナデバイス１００は、無線通信機能を有する電子デバイス内に統合されていてもよく、例えば、無限アクセスポイント（Ａｃｃｅｓｓ  Ｐｏｉｎｔ，ＡＰ）、パソコン（Ｐｅｒｓｏｎａｌ  Ｃｏｍｐｕｔｅｒ，ＰＣ）またはノートパソコン（Ｌａｐｔｏｐ）、しかしながら、これに限定せず、マイモ（Ｍｕｌｔｉ−ｉｎｐｕｔ  Ｍｕｌｔｉ−ｏｕｔｐｕｔ，ＭＩＭＯ）通信技術を支援できて、通信機能を有する電子デバイスであれば全て本発明の保護範囲内にある。実際の使用において、アンテナデバイス１００は、制御信号に基づきその放射パターンを調整し、無指向性（Ｏｍｎｉ−ｄｉｒｅｃｔｉｏｎａｌ）の放射パターンまたは指向性（Ｄｉｒｅｃｔｉｏｎａｌ）の放射パターンを実現する。
【００１４】
幾つかの実施形態において、図２Ａ及び図２Ｂを併せて参照する。図２Ａは、本発明の幾つかの実施形態が図示するアンテナデバイス１００の上面図である。図２Ｂは、本発明の幾つかの実施形態が図示するアンテナデバイス１００の下面図である。幾つかの実施形態において、アンテナデバイス１００は、高周波と低周波で同時に操作するのに適しており、例を挙げると、高周波は５．５ＧＨｚを含み、低周波は２．４５ＧＨｚを含むが、これに限定せず、アンテナデバイス１００の操作に適する周波数であれば全て本発明の保護範囲内にある。
【００１５】
幾つかの実施形態において、図２Ａ、図２Ｂに示すように、アンテナデバイス１００は、アンテナユニット２１０、２２０、２３０、２４０、反射ユニット２５１、２５２、２５３、２５４、伝送線２０１、２０２、２１１、２１２、２２１、２２２、２３１、２３２、信号供給点２９１、アンテナ接地端２９２及び基板２９３を含み、伝送線２０１は、信号供給点２９１、アンテナユニット２１０及びアンテナユニット２５０を接続し、伝送線２１１は、信号供給点２９１、アンテナユニット２４０及びアンテナユニット２８０を接続し、伝送線２２１は、信号供給点２９１、アンテナユニット２３０及びアンテナユニット２７０を接続し、伝送線２３１は、信号供給点２９１、アンテナユニット２２０及びアンテナユニット２６０を接続する。
【００１６】
この実施形態において、アンテナデバイス１００は、８つのアンテナユニット２１０、２２０、２３０、２４０、２５０、２６０、２７０、２８０を有し、それぞれ４つの低周波アンテナユニット２１０、２２０、２３０、２４０及び４つの高周波アンテナユニット２５０、２６０、２７０、２８０を有するが、これに限定せず、アンテナデバイス１００が２つ以上のアンテナユニットを有していれば全て本発明の保護範囲内にある。
【００１７】
幾つかの実施形態において、アンテナユニット２１０は、基板２９３の第一表面２９３ａに設けられる放射体２１０ａ及び基板２９３の第二表面２９３ｂに設けられる放射体２１０ｂを含み、アンテナユニット２２０は、基板２９３の第一表面２９３ａに設けられる放射体２２０ａ及び基板２９３の第二表面２９３ｂに設けられる放射体２２０ｂを含み、アンテナユニット２３０は、基板２９３の第一表面２９３ａに設けられる放射体２３０ａ及び基板２９３の第二表面２９３ｂに設けられる放射体２３０ｂを含み、アンテナユニット２４０は、基板２９３の第一表面２９３ａに設けられる放射体２４０ａ及び基板２９３の第二表面２９３ｂに設けられる放射体２４０ｂを含み、アンテナユニット２５０は、基板２９３の第一表面２９３ａに設けられる放射体２５０ａ及び基板２９３の第二表面２９３ｂに設けられる放射体２５０ｂを含み、アンテナユニット２６０は、基板２９３の第一表面２９３ａに設けられる放射体２６０ａ及び基板２９３の第二表面２９３ｂに設けられる放射体２６０ｂを含み、アンテナユニット２７０は、基板２９３の第一表面２９３ａに設けられる放射体２７０ａ及び基板２９３の第二表面２９３ｂに設けられる放射体２７０ｂを含み、アンテナユニット２８０は、基板２９３の第一表面２９３ａに設けられる放射体２８０ａ及び基板２９３の第二表面２９３ｂに設けられる放射体２８０ｂを含む。
【００１８】
幾つかの実施形態において、伝送線２０１は、放射体２１０ａ、放射体２５０ａ及び信号供給点２９１に結合する。伝送線２０２は、放射体２１０ｂ、放射体２５０ｂ及びアンテナ接地端２９２に結合する。伝送線２１１は、放射体２４０ａ、放射体２８０ａ及び信号供給点２９１に結合する。伝送線２１２は、放射体２４０ｂ、放射体２８０ｂ及びアンテナ接地端２９２に結合する。伝送線２２１は、放射体２３０ａ、放射体２７０ａ及び信号供給点２９１に結合する。伝送線２２２は、放射体２３０ｂ、放射体２７０ｂ及びアンテナ接地端２９２に結合する。伝送線２３１は、放射体２２０ａ、放射体２６０ａ及び信号供給点２９１に結合する。伝送線２３２は、放射体２２０ｂ、放射体２６０ｂ及びアンテナ接地端２９２に結合する。
【００１９】
幾つかの実施形態において、信号供給点２９１は、伝送線２０１、２１１、２２１、２３１の交差点に設けられ、アンテナ接地端２９２は、伝送線２０２、２１２、２２２、２３２の交差点に設けられるが、これに限定せず、信号供給点２９１及びアンテナ接地端２９２は、アンテナユニット２１０、２２０、２３０、２４０、２５０、２６０、２７０、２８０に接続可能な基板２９３上または基板２９３外のどの位置に設けてもよい。
【００２０】
幾つかの実施形態において、アンテナユニット２１０、２２０、２３０、２４０、２５０、２６０、２７０、２８０は、伝送アンテナとして操作され、それぞれ信号供給点２９１からのＲＦ信号を受信し、これによりアンテナデバイス１００が放射パターンを生成するのに用いる。ここで、放射パターンの方向は、信号供給点２９１を中心に外に向かって延伸する。幾つかの実施形態において、アンテナユニット２１０、２２０、２３０、２４０、２５０、２６０、２７０、２８０は、受信アンテナとして操作され、それぞれ１つの使用者からの無線信号を受信して、これにより無線信号チャンネルをセットするのに用いる。幾つかの実施形態において、アンテナユニット２５０、２６０、２７０、２８０は、第一周波数（例えば、５．５ＧＨｚ）で操作するＲＦ信号を生成するのに用いられ、アンテナユニット２１０、２２０、２３０、２４０は、第二周波数（例えば、２．４５ＧＨｚ）で操作するＲＦ信号を生成するのに用いられ、且つ、第一周波数は第二周波数より大きい。
【００２１】
幾つかの実施形態において、アンテナユニット２１０、２２０、２３０、２４０、２５０、２６０、２７０、２８０は、平板逆Ｆアンテナ（Ｐｌａｎａｒ  Ｉｎｖｅｒｔｅｄ  Ｆ  Ａｎｔｅｎｎａ，ＰＩＦＡ）、ダイポール（ｄｉｐｏｌｅ）アンテナ及びループ（Ｌｏｏｐ）アンテナにより実現されてもよいが、これに限定せず、水平偏波アンテナユニットの実現に適用される回路部材であれば全て本発明の保護範囲内にある。
【００２２】
幾つかの実施形態において、アンテナユニット２１０、２２０、２３０、２４０のうちの１つ、アンテナユニット２５０、２６０、２７０、２８０の対応する１つは、伝送線２０１、２０２、２１１、２１２、２２１、２２２、２３１、２３２の対応する１つとＦ形を示すように設けられる。例を挙げると、アンテナユニット２１０の放射体２１０ａ、アンテナユニット２５０の放射体２５０ａ及び伝送線２０１は、Ｆ形を示すように設けられる。アンテナユニット２１０の放射体２１０ｂ、アンテナユニット２５０の放射体２５０ｂ及び伝送線２０２は、Ｆ形を示すように設けられる。アンテナユニット２２０の放射体２２０ａ、アンテナユニット２６０の放射体２６０ａ及び伝送線２３１は、Ｆ形を示すように設けられる。アンテナユニット２２０の放射体２２０ｂ、アンテナユニット２６０の放射体２６０ｂ及び伝送線２３２は、Ｆ形を示すように設けられる。アンテナユニット２３０の放射体２３０ａ、アンテナユニット２７０の放射体２７０ａ及び伝送線２２１は、Ｆ形を示すように設けられる。アンテナユニット２３０の放射体２３０ｂ、アンテナユニット２７０の放射体２７０ｂ及び伝送線２２２は、Ｆ形を示すように設けられる。アンテナユニット２４０の放射体２４０ａ、アンテナユニット２８０の放射体２８０ａ及び伝送線２１１は、Ｆ形を示すように設けられる。アンテナユニット２４０の放射体２４０ａ、アンテナユニット２８０の放射体２８０ａ及び伝送線２１２は、Ｆ形を示すように設けられる。
【００２３】
幾つかの実施形態において、反射ユニット２５１、２５２、２５３、２５４は、アンテナユニット２１０、２２０、２３０、２４０、２５０、２６０、２７０、２８０の放射パターンを調整するのに用いられ、例を挙げると、反射ユニット２５１及び反射ユニット２５２は、アンテナユニット２４０及びアンテナユニット２８０が対応する放射パターンを調整するのに用いられる。反射ユニット２５２及び反射ユニット２５３は、アンテナユニット２３０及びアンテナユニット２７０が対応する放射パターンを調整するのに用いられる。反射ユニット２５３及び反射ユニット２５４は、アンテナユニット２２０及びアンテナユニット２６０が対応する放射パターンを調整するのに用いられる。反射ユニット２５４及び反射ユニット２５１は、アンテナユニット２１０及びアンテナユニット２５０が対応する放射パターンを調整するのに用いられ、アンテナユニット２１０、２２０、２３０、２４０、２５０、２６０、２７０、２８０の放射パターンのそれぞれに指向性を備えさせる。他の幾つかの実施形態において、反射ユニット２５１、２５２、２５３、２５４の形状は、Ｘ軸、Ｙ軸及びＺ軸に基づき調整してもよい。
【００２４】
幾つかの実施形態において、反射ユニット２５１、２５２、２５３、２５４は、基板２９３に結合し、アンテナユニット２１０、２２０、２３０、２４０、２５０、２６０、２７０、２８０の両側に設けられる。幾つかの実施形態において、反射ユニット２５１、２５２、２５３、２５４は、細い金属ストリップによって実現してもよいが、これに限定せず、放射パターンの調整を実現するのに用いることができる反射ユニットであれば全て本発明の保護範囲内にある。
【００２５】
幾つかの実施形態において、伝送線２０１、２０２、２１１、２１２、２２１、２２２、２３１、２３２は、信号供給点２９１からのＲＦ信号をアンテナユニット２１０、２２０、２３０、２４０、２５０、２６０、２７０、２８０に伝送するのに用いる。幾つかの実施形態において、伝送線２０１、２０２、２１１、２１２、２２１、２２２、２３１、２３２は、金属ワイヤによって実現されてもよいが、これに限定せず、ＲＦ信号を伝送するのに用いることができるワイヤ材であれば全て本発明の保護範囲内にある。
【００２６】
図２Ａ、図２Ｂ、図３Ａ及び図３Ｂを併せて参照する。ここで、図３Ａ及び図３Ｂは、それぞれ本発明の幾つかの実施形態が図示する図２Ａと図２Ｂのアンテナデバイス１００の部分回路図である。
【００２７】
幾つかの実施形態において、制御回路（不図示）は、複数の制御信号ＣＴ１、ＣＴ２、ＣＴ３、ＣＴ４、ＣＴ５、ＣＴ６、ＣＴ７、ＣＴ８を生成するのに用いる。幾つかの実施形態において、制御回路（不図示）は、演算、データ読み取り、信号または情報受信、信号または情報伝送などの機能を有するサーバー、回路、中央処理装置（ｃｅｎｔｒａｌ  ｐｒｏｃｅｓｓｏｒ  ｕｎｉｔ，  ＣＰＵ）、マイクロプロセッサ（ＭＣＵ）またはその他の同等の機能を有する電子チップによって実現してもよい。
【００２８】
幾つかの実施形態において、アンテナデバイス１００は、スイッチング回路３１０、３２０、３３０、３４０、３５０、３６０、３７０、３８０を含み、それぞれ制御回路（不図示）からの複数の制御信号ＣＴ１、ＣＴ２、ＣＴ３、ＣＴ４、ＣＴ５、ＣＴ６、ＣＴ７、ＣＴ８に基づきアンテナユニット２１０、２２０、２３０、２４０、２５０、２６０、２７０、２８０の少なくとも１つを選択的に導通するのに用いる。幾つかの実施形態において、スイッチング回路３１０、３２０、３３０、３４０、３５０、３６０、３７０、３８０の実際の配置方式は、図３Ａ及び図３Ｂに示すとおりである。
【００２９】
図３Ａ、３Ｂに示すように、アンテナデバイス１００は、スイッチング回路３１０、３２０、３３０、３４０、３５０、３６０、３７０、３８０を含み、スイッチング回路３１０は、制御信号ＣＴ１を受信し、スイッチング回路３２０は、制御信号ＣＴ２を受信し、スイッチング回路３３０は、制御信号ＣＴ３を受信し、スイッチング回路３４０は、制御信号ＣＴ４を受信し、スイッチング回路３５０は、制御信号ＣＴ５を受信し、スイッチング回路３６０は、制御信号ＣＴ６を受信し、スイッチング回路３７０は、制御信号ＣＴ７を受信し、スイッチング回路３８０は、制御信号ＣＴ８を受信する。
【００３０】
幾つかの実施形態において、図３Ａ及び３Ｂに示すように、スイッチング回路３１０は、第三スイッチユニット（図３Ａにおける実施形態は、位相シフトスイッチダイオードＤ１１）及び第四スイッチユニット（図３Ａにおける実施形態は、位相シフトスイッチダイオードＤ１２）、インピーダンスユニット３１１、フィルタ３１２、３１３、３１４、３１５、３１６及びキャパシタＣ５７を含む。スイッチング回路３２０は、第三スイッチユニット（図３Ａにおける実施形態は、位相シフトスイッチダイオードＤ２１）及び第四スイッチユニット（図３Ａにおける実施形態は、位相シフトスイッチダイオードＤ２２）、インピーダンスユニット３２１、フィルタ３２２、３２３、３２４、３２５、３２６及びキャパシタＣ５８を含む。スイッチング回路３３０は、第三スイッチユニット（図３Ａにおける実施形態は、位相シフトスイッチダイオードＤ３１）及び第四スイッチユニット（図３Ａにおける実施形態は、位相シフトスイッチダイオードＤ３２）、インピーダンスユニット３３１、フィルタ３３２、３３３、３３４、３３５、３３６及びキャパシタＣ５９を含む。スイッチング回路３４０は、第三スイッチユニット（図３Ａにおける実施形態は、位相シフトスイッチダイオードＤ４１）及び第四スイッチユニット（図３Ａにおける実施形態は、位相シフトスイッチダイオードＤ４２）、インピーダンスユニット３４１、フィルタ３４２、３４３、３４４、３４５、３４６及びキャパシタＣ６０を含む。スイッチング回路３５０は、第一スイッチユニット（図３Ｂにおける実施形態は、位相シフトスイッチダイオードＤ５１）及び第二スイッチユニット（図３Ｂにおける実施形態は、位相シフトスイッチダイオードＤ５２）、インピーダンスユニット３５１、フィルタ３５２及びインダクタＬ５７、Ｌ５８を含む。スイッチング回路３６０は、第一スイッチユニット（図３Ｂにおける実施形態は、位相シフトスイッチダイオードＤ８１）及び第二スイッチユニット（図３Ｂにおける実施形態は、位相シフトスイッチダイオードＤ８２）、インピーダンスユニット３６１、フィルタ３６２及びインダクタＬ６３、Ｌ６４を含む。スイッチング回路３７０は、第一スイッチユニット（図３Ｂにおける実施形態は、位相シフトスイッチダイオードＤ７１）及び第二スイッチユニット（図３Ｂにおける実施形態は、位相シフトスイッチダイオードＤ７２）、インピーダンスユニット３７１、フィルタ３７２及びインダクタＬ６１、Ｌ６２を含む。スイッチング回路３８０は、第一スイッチユニット（図３Ｂにおける実施形態は、位相シフトスイッチダイオードＤ６１）及び第二スイッチユニット（図３Ｂにおける実施形態は、位相シフトスイッチダイオードＤ６２）、インピーダンスユニット３８１、フィルタ３８２及びインダクタＬ５９、Ｌ６０を含む。
【００３１】
幾つかの実施形態において、スイッチング回路３１０、３２０、３３０、３４０にそれぞれ含まれるキャパシタＣ５７、Ｃ５８、Ｃ５９、Ｃ６０は、低周波マッチングのインピーダンスを改善するのに用いる。
【００３２】
幾つかの実施形態において、スイッチング回路３５０のインダクタＬ５７は、位相シフトスイッチ（ＰＩＮ）ダイオードＤ５１に並列され、インダクタＬ５８は、位相シフトスイッチダイオードＤ５２に並列され、スイッチング回路３６０のインダクタＬ６３は、位相シフトスイッチダイオードＤ８１に並列され、インダクタＬ６４は、位相シフトスイッチダイオードＤ８２に並列され、スイッチング回路３７０のインダクタＬ６１は、位相シフトスイッチダイオードＤ７１に並列され、インダクタＬ６２は、位相シフトスイッチダイオードＤ７２に並列され、スイッチング回路３８０のインダクタＬ５９は、位相シフトスイッチダイオードＤ６１に並列され、インダクタＬ６０は、位相シフトスイッチダイオードＤ６２に並列される。上記配置により、位相シフトスイッチダイオードＤ５１／Ｄ５２／Ｄ８１／Ｄ８２／Ｄ７１／Ｄ７２／Ｄ６１／Ｄ６２が閉じる時、対応するインダクタＬ５７／Ｌ５８／Ｌ６３／Ｌ６４／Ｌ６１／Ｌ６２／Ｌ５９／Ｌ６０と高周波のバンドストップフィルタ（Ｂａｎｄ  ｓｔｏｐ  ｆｉｌｔｅｒ）を形成し、このメカニズムにより、隣接する２つのアンテナユニット２５０／２６０／２７０／２８０の位相シフトスイッチダイオードＤ５１／Ｄ５２／Ｄ８１／Ｄ８２／Ｄ７１／Ｄ７２／Ｄ６１／Ｄ６２を閉じて、他のアンテナユニット２５０／２６０／２７０／２８０の位相シフトスイッチダイオードＤ５１／Ｄ５２／Ｄ８１／Ｄ８２／Ｄ７１／Ｄ７２／Ｄ６１／Ｄ６２を導通させて、高周波パターンにビームを形成させることができる。
【００３３】
幾つかの実施形態において、スイッチング回路３１０、３２０、３３０、３４０、３５０、３６０、３７０、３８０の位相シフトスイッチダイオードＤ１１、Ｄ１２、Ｄ２１、Ｄ２２、Ｄ３１、Ｄ３２、Ｄ４１、Ｄ４２、Ｄ５１、Ｄ５２、Ｄ８１、Ｄ８２、Ｄ７１、Ｄ７２、Ｄ６１、Ｄ６２は、それぞれアンテナユニット２１０、２２０、２３０、２４０、２５０、２６０、２７０、２８０に設けられて、ＲＦ信号が信号供給点２９１により複数のアンテナユニット２１０、２２０、２３０、２４０、２５０、２６０、２７０、２８０に伝送するのを阻止または導通するのに用いる。例を挙げると、位相シフトスイッチダイオードＤ１１及び位相シフトスイッチダイオードＤ１２は、アンテナユニット２１０を閉じようとする時，ＲＦ信号が信号供給点２９１から伝送線２０１を介して放射体２１０ａに伝送されること及び伝送線２０２を介して放射体２１０ｂに伝送されることを阻止するのに用いる。位相シフトスイッチダイオードＤ２１及び位相シフトスイッチダイオードＤ２２は、アンテナユニット２２０を閉じようとする時、ＲＦ信号が信号供給点２９１から伝送線２３１を介して放射体２２０ａに伝送されること及び伝送線２３２を介して放射体２２０ｂに伝送されることを阻止するのに用いる。位相シフトスイッチダイオードＤ３１及び位相シフトスイッチダイオードＤ３２は、アンテナユニット２３０を閉じようとする時、ＲＦ信号が信号供給点２９１から伝送線２２１を介して放射体２３０ａに伝送されること及び伝送線２２２を介して放射体２３０ｂに伝送されることを阻止するのに用いる。位相シフトスイッチダイオードＤ４１及び位相シフトスイッチダイオードＤ４２は、アンテナユニット２４０を閉じようとする時、ＲＦ信号が信号供給点２９１から伝送線２１１を介して放射体２４０ａに伝送されること及び伝送線２１２を介して放射体２４０ｂに伝送されることを阻止するのに用いる。位相シフトスイッチダイオードＤ５１及び位相シフトスイッチダイオードＤ５２は、アンテナユニット２５０を閉じようとする時、ＲＦ信号が信号供給点２９１から伝送線２０１を介して放射体２５０ａに伝送されること及び伝送線２０２を介して放射体２５０ｂに伝送されることを阻止するのに用いる。位相シフトスイッチダイオードＤ６１及び位相シフトスイッチダイオードＤ６２は、アンテナユニット２６０を閉じようとする時、ＲＦ信号が信号供給点２９１から伝送線２３１を介して放射体２６０ａに伝送されること及び伝送線２３２を介して放射体２６０ｂに伝送されることを阻止するのに用いる。位相シフトスイッチダイオードＤ７１及び位相シフトスイッチダイオードＤ７２は、アンテナユニット２７０を閉じようとする時、ＲＦ信号が信号供給点２９１から伝送線２２１を介して放射体２７０ａに伝送されること及び伝送線２２２を介して放射体２７０ｂに伝送されることを阻止するのに用いる。位相シフトスイッチダイオードＤ８１及び位相シフトスイッチダイオードＤ８２は、アンテナユニット２８０を閉じようとする時、ＲＦ信号が信号供給点２９１から伝送線２１１を介して放射体２８０ａに伝送されること及び伝送線２１２を介して放射体２８０ｂに伝送されることを阻止するのに用いる。
【００３４】
幾つかの実施形態において、スイッチング回路３１０のフィルタ３１２、３１３、３１４、３１５は、アンテナユニット２１０がアンテナユニット２５０に与える影響を低減するのに用いる。スイッチング回路３２０のフィルタ３２２、３２３、３２４、３２５は、アンテナユニット２２０がアンテナユニット２６０に与える影響を低減するのに用いる。スイッチング回路３３０のフィルタ３３２、３３３、３３４、３３５は、アンテナユニット２３０がアンテナユニット２７０に与える影響を低減するのに用いる。スイッチング回路３４０のフィルタ３４２、３４３、３４４、３４５は、アンテナユニット２４０がアンテナユニット２８０に与える影響を低減するのに用いる。フィルタ３２２〜３２５、３３２〜３３５及び３４２〜３４５を対応する位相シフトスイッチダイオードＤ１１／Ｄ１２／Ｄ２１／Ｄ２２／Ｄ３１／Ｄ３２／Ｄ４１／Ｄ４２の両側に設けることで、高周波のアンテナ（即ち、アンテナユニット２５０／２６０／２７０／２８０）の放射パターンが影響される程度を効果的に低減できる。
【００３５】
幾つかの実施形態において、上記フィルタ３１２〜３１５、３２２〜３２５、３３２〜３３５及び３４２〜３４５のそれぞれは、並列なキャパシタ及びインダクタを含み、バンドストップフィルタ（Ｂａｎｄ  Ｓｔｏｐ  ｆｉｌｔｅｒ）を形成する。例を挙げると、スイッチング回路３１０を例として、フィルタ３１２は、キャパシタＣ４５及びインダクタＬ４５を含み、キャパシタＣ４５及びインダクタＬ４５は、並列に設けられる。フィルタ３１３は、キャパシタＣ４６及びインダクタＬ４６を含み、キャパシタＣ４６及びインダクタＬ４６は、並列に設けられる。フィルタ３１４は、キャパシタＣ３４及びインダクタＬ３４を含み、キャパシタＣ３４及びインダクタＬ３４は、並列に設けられる。フィルタ３１５は、キャパシタＣ３３及びインダクタＬ３３を含み、キャパシタＣ３３及びインダクタＬ３３は、並列に設けられる。
【００３６】
幾つかの実施形態において、フィルタ３１６、３２６、３３６、３４６は、高周波信号及び低周波信号を周波数分割して、高周波を通過させるのに用いる。図２Ａ及び図２Ｂに示すように、スイッチング回路３１０のフィルタ３１６は、伝送線２０１、２０２に設けられて周波数分割する。スイッチング回路３２０のフィルタ３２６は、伝送線２３１、２３２に設けられて周波数分割する。スイッチング回路３３０のフィルタ３３６は、伝送線２２１、２２２に設けられて周波数分割する。スイッチング回路３４０のフィルタ３４６は、伝送線２１１、２１２に設けられて周波数分割する。
【００３７】
幾つかの実施形態において、上記フィルタ３１６／３２６／３３６／３４６のそれぞれは、直列のキャパシタ及びインダクタを含み、バンドパスフィルタ（ｂａｎｄ  ｐａｓｓ  ｆｉｌｔｅｒ）を形成して、高周波の信号を通過させる。例を挙げると、フィルタ３１６は、キャパシタＣ４９及びインダクタＬ４９を含み、キャパシタＣ４９及びインダクタＬ４９は、直列に設けられる。フィルタ３２６は、キャパシタＣ５０及びインダクタＬ５０を含み、キャパシタＣ５０及びインダクタＬ５０は、直列に設けられる。フィルタ３３６は、キャパシタＣ５１及びインダクタＬ５１を含み、キャパシタＣ５１及びインダクタＬ５１は、直列に設けられる。フィルタ３４６は、キャパシタＣ５２及びインダクタＬ５２を含み、キャパシタＣ５２及びインダクタＬ５２は、直列に設けられる。
【００３８】
幾つかの実施形態において、図２Ａ、図２Ｂ及び図３Ｂに示すように、フィルタ３５２、３６２、３７２、３８２は、それぞれ反射ユニット２５４、２５１、２５２、２５３に設けられて、反射ユニット２５４、２５１、２５２、２５３に２種類の特性を持たせ、同時に、アンテナユニット２１０、２２０、２３０、２４０及びアンテナユニット２５０、２６０、２７０、２８０が生成する放射パターンの調整板としてもよい。
【００３９】
幾つかの実施形態において、フィルタ３５２は、キャパシタＣ５３及びインダクタＬ６５を含み、キャパシタＣ５３及びインダクタＬ６５は、並列に設けられる。フィルタ３６２は、キャパシタＣ５６及びインダクタＬ６８を含み、キャパシタＣ５６及びインダクタＬ６８は、並列に設けられる。フィルタ３７２は、キャパシタＣ５５及びインダクタＬ６７を含み、キャパシタＣ５５及びインダクタＬ６７は、並列に設けられる。フィルタ３８２は、キャパシタＣ５４及びインダクタＬ６６を含み、キャパシタＣ５４及びインダクタＬ６６は、並列に設けられる。
【００４０】
幾つかの実施形態において、インピーダンスユニット３１１は、インダクタＬ１７、Ｌ１８、Ｌ９、Ｌ１、Ｌ２、キャパシタＣ２、Ｃ８を含む。インピーダンスユニット３２１は、インダクタＬ１５、Ｌ１６、Ｌ１０、Ｌ４、Ｌ３、キャパシタＣ３、Ｃ７を含む。インピーダンスユニット３３１は、インダクタＬ１３、Ｌ１４、Ｌ１１、Ｌ６、Ｌ５、キャパシタＣ４、Ｃ６を含む。インピーダンスユニット３４１は、インダクタＬ１９、Ｌ２０、Ｌ１２、Ｌ８、Ｌ７、キャパシタＣ１、Ｃ５を含む。
【００４１】
幾つかの実施形態において、インピーダンスユニット３１１、３２１、３３１、３４１、３５１、３６１、３７１、３８１のインダクタＬ１〜Ｌ３２は、ＲＦチョーク（ＲＦ  Ｃｈｏｋｅ）として用い、詳細には、インダクタＬ１〜Ｌ３２は、ＲＦ信号の相互干渉を阻止するのに用いる。幾つかの実施形態において、インピーダンスユニット３１１、３２１、３３１、３４１、３５１、３６１、３７１、３８１のキャパシタＣ１〜Ｃ８、Ｃ６１〜Ｃ６８は、ＤＣブロック（ＤＣ  Ｂｌｏｃｋ）として用い、詳細には、キャパシタＣ１〜Ｃ８、Ｃ６１〜Ｃ６８は、複数の制御信号ＣＴ１、ＣＴ２、ＣＴ３、ＣＴ４、ＣＴ５、ＣＴ６、ＣＴ７、ＣＴ８の間の相互干渉を阻止するのに用いる。
【００４２】
幾つかの実施形態において、図２Ａに示すように、位相シフトスイッチダイオードＤ１１、Ｄ２１、Ｄ３１、Ｄ４１、Ｄ５１、Ｄ６１、Ｄ７１、Ｄ８１、インダクタＬ１〜Ｌ１２、Ｌ２１〜Ｌ２８、Ｌ３３〜Ｌ４０、Ｌ４９〜Ｌ５２、Ｌ５７、Ｌ５９、Ｌ６１、Ｌ６３、Ｌ６５〜Ｌ６８、キャパシタＣ１〜Ｃ４、Ｃ４１〜Ｃ４８、Ｃ５３〜Ｃ６０、Ｃ６１、Ｃ６３、Ｃ６５、Ｃ６７は、基板２９３の第一表面２９３ａに設けられる。幾つかの実施形態において、図２Ｂに示すように、位相シフトスイッチダイオードＤ５〜Ｄ８、インダクタＬ１３〜Ｌ２０、Ｌ２９〜Ｌ３２、Ｌ４１〜Ｌ４８、Ｌ５８、Ｌ６０、Ｌ６２、Ｌ６４、キャパシタＣ５〜Ｃ８、Ｃ３３〜Ｃ４０、Ｃ４９〜Ｃ５２、Ｃ６２、Ｃ６４、Ｃ６６、Ｃ６８は、基板２９３の第二表面２９３ｂに設けられる。
【００４３】
幾つかの実施形態において、図３Ａに示すように、インダクタＬ１７の第一端は、制御信号ＣＴ１を受信するのに用い、インダクタＬ１７の第二端は、インダクタＬ１８の第一端に結合し、インダクタＬ１８の第二端は、インダクタＬ４５の第一端及びキャパシタＣ４５の第一端に結合し、インダクタＬ４５の第二端は、キャパシタＣ４５の第二端及び位相シフトスイッチダイオードＤ１２の第一端に結合し、位相シフトスイッチダイオードＤ１２の第二端は、インダクタＬ４６の第一端及びキャパシタＣ４６の第一端に結合し、インダクタＬ４６の第二端は、キャパシタＣ４６の第二端及びキャパシタＣ５７の第一端、インダクタＬ９の第一端、キャパシタＣ４９の第一端及びキャパシタＣ８の第一端に結合し、キャパシタＣ５７の第二端は、キャパシタＣ３４の第一端、インダクタＬ９の第二端、インダクタＬ３４の第一端、インダクタＬ４９の第二端及びキャパシタＣ２の第一端に結合し、キャパシタＣ４９の第二端は、インダクタＬ４９の第一端に結合し、インダクタＬ４９の第二端は、キャパシタＣ２の第一端に結合し、キャパシタＣ２の第二端は、信号供給点２９１（図２Ａの信号供給点２９１を併せて参照できる）に結合し、キャパシタＣ８の第二端は、アンテナ接地端２９２（図２Ｂのアンテナ接地端２９２を併せて参照できる）に結合し、インダクタＬ３４の第二端は、位相シフトスイッチダイオードＤ１１の第一端に結合し、位相シフトスイッチダイオードＤ１１の第二端は、インダクタＬ３３の第一端及びキャパシタＣ３３の第一端に結合し、インダクタＬ３３の第二端は、キャパシタＣ３３の第二端及びインダクタＬ１の第一端に結合し、インダクタＬ１の第二端は、インダクタＬ２の第一端に結合し、インダクタＬ２の第二端は接地する。
【００４４】
幾つかの実施形態において、図３Ａに示すように、インダクタＬ１５の第一端は、制御信号ＣＴ２を受信するのに用い、インダクタＬ１５の第二端は、インダクタＬ１６の第一端に結合し、インダクタＬ１６の第二端は、インダクタＬ４３の第一端及びキャパシタＣ４３の第一端に結合し、インダクタＬ４３の第二端は、キャパシタＣ４３の第二端及び位相シフトスイッチダイオードＤ２２の第一端に結合し、位相シフトスイッチダイオードＤ２２の第二端は、インダクタＬ４４の第一端及びキャパシタＣ４４の第一端に結合し、インダクタＬ４４の第二端は、キャパシタＣ４４の第二端及びキャパシタＣ５８の第一端、インダクタＬ１０の第一端、キャパシタＣ５０の第一端及びキャパシタＣ７の第一端に結合し、キャパシタＣ５８の第二端は、キャパシタＣ３６の第一端、インダクタＬ１０の第二端、インダクタＬ３６の第一端、インダクタＬ５０の第二端及びキャパシタＣ３の第一端に結合し、キャパシタＣ５０の第二端は、インダクタＬ５０の第一端に結合し、インダクタＬ５０の第二端は、キャパシタＣ３の第一端に結合し、キャパシタＣ３の第二端は、信号供給点２９１（図２Ａに示すとおり）に結合し、キャパシタＣ７の第二端は、アンテナ接地端２９２（図２Ｂに示すとおり）に結合し、インダクタＬ３６の第二端は、位相シフトスイッチダイオードＤ２１の第一端に結合し、位相シフトスイッチダイオードＤ２１の第二端は、インダクタＬ３５の第一端及びキャパシタＣ３５の第一端に結合し、インダクタＬ３５の第二端は、キャパシタＣ３５の第二端及びインダクタＬ４の第一端に結合し、インダクタＬ４の第二端は、インダクタＬ３の第一端に結合し、インダクタＬ３の第二端は接地する。
【００４５】
幾つかの実施形態において、図３Ａに示すように、インダクタＬ１３の第一端は、制御信号ＣＴ３を受信するのに用い、インダクタＬ１３の第二端は、インダクタＬ１４の第一端に結合し、インダクタＬ１４の第二端は、インダクタＬ４１の第一端及びキャパシタＣ４１の第一端に結合し、インダクタＬ４１の第二端は、キャパシタＣ４１の第二端及び位相シフトスイッチダイオードＤ３２の第一端に結合し、位相シフトスイッチダイオードＤ３２の第二端は、インダクタＬ４２の第一端及びキャパシタＣ４２の第一端に結合し、インダクタＬ４２の第二端は、キャパシタＣ４２の第二端及びキャパシタＣ５９の第一端、インダクタＬ１１の第一端、キャパシタＣ５１の第一端及びキャパシタＣ６の第一端に結合し、キャパシタＣ５９の第二端は、キャパシタＣ３８の第一端、インダクタＬ１１の第二端、インダクタＬ３８の第一端、インダクタＬ５１の第二端及びキャパシタＣ４の第一端に結合し、キャパシタＣ５１の第二端は、インダクタＬ５１の第一端に結合し、インダクタＬ５１の第二端は、キャパシタＣ４の第一端に結合し、キャパシタＣ４の第二端は、信号供給点２９１（図２Ａに示すとおり）に結合し、キャパシタＣ６の第二端は、アンテナ接地端２９２（図２Ｂに示すとおり）に結合し、インダクタＬ３８の第二端は、位相シフトスイッチダイオードＤ３１の第一端に結合し、位相シフトスイッチダイオードＤ３１の第二端は、インダクタＬ３７の第一端及びキャパシタＣ３７の第一端に結合し、インダクタＬ３７の第二端は、キャパシタＣ３７の第二端及びインダクタＬ６の第一端に結合し、インダクタＬ６の第二端は、インダクタＬ５の第一端に結合し、インダクタＬ５の第二端はグランドＧに接続される。
【００４６】
幾つかの実施形態において、図３Ａに示すように、インダクタＬ１９の第一端は、制御信号ＣＴ４を受信するのに用い、インダクタＬ１９の第二端は、インダクタＬ２０の第一端に結合し、インダクタＬ２０の第二端は、インダクタＬ４７の第一端及びキャパシタＣ４７の第一端に結合し、インダクタＬ４７の第二端は、キャパシタＣ４７の第二端及び位相シフトスイッチダイオードＤ４２の第一端に結合し、位相シフトスイッチダイオードＤ４２の第二端は、インダクタＬ４８の第一端及びキャパシタＣ４８の第一端に結合し、インダクタＬ４８の第二端は、キャパシタＣ４８の第二端及びキャパシタＣ６０の第一端、インダクタＬ１２の第一端、キャパシタＣ５２の第一端及びキャパシタＣ５の第一端に結合し、キャパシタＣ６０の第二端は、キャパシタＣ４０の第一端、インダクタＬ１２の第二端、インダクタＬ４０の第一端、インダクタＬ５２の第二端及びキャパシタＣ１の第一端に結合し、キャパシタＣ５２の第二端は、インダクタＬ５２の第一端に結合し、インダクタＬ５２の第二端は、キャパシタＣ１の第一端に結合し、キャパシタＣ１の第二端は、信号供給点２９１（図２Ａに示すとおり）に結合し、キャパシタＣ５の第二端は、アンテナ接地端２９２（図２Ｂに示すとおり）に結合し、インダクタＬ４０の第二端は、位相シフトスイッチダイオードＤ４１の第一端に結合し、位相シフトスイッチダイオードＤ４１の第二端は、インダクタＬ３９の第一端及びキャパシタＣ３９の第一端に結合し、インダクタＬ３９の第二端は、キャパシタＣ３９の第二端及びインダクタＬ８の第一端に結合し、インダクタＬ８の第二端は、インダクタＬ７の第一端に結合し、インダクタＬ７の第二端はグランドＧに接続される。
【００４７】
幾つかの実施形態において、図３Ｂに示すように、インダクタＬ３２の第一端は、制御信号ＣＴ５を受信するのに用い、インダクタＬ３２の第二端は、インダクタＬ５７の第一端及び位相シフトスイッチダイオードＤ５１の第一端に結合し、位相シフトスイッチダイオードＤ５１の第二端は、インダクタＬ５７の第二端、キャパシタＣ６１の第一端及びインダクタＬ２３の第一端に結合し、キャパシタＣ６１の第二端は、信号供給点２９１（図２Ａに示すとおり）に結合し、インダクタＬ２３の第二端は、インダクタＬ５８の第一端、位相シフトスイッチダイオードＤ５２の第一端及びキャパシタＣ６２の第一端に結合し、キャパシタＣ６２の第二端は、アンテナ接地端２９２（図２Ｂに示すとおり）に結合し、位相シフトスイッチダイオードＤ５２の第二端は、インダクタＬ５８の第二端及びインダクタＬ２４の第一端に結合し、インダクタＬ２４の第二端は、グランドＧに接続され、キャパシタＣ５６の第一端及びインダクタＬ６８の第一端に結合し、キャパシタＣ５６の第二端は、インダクタＬ６８の第二端に結合し、この結合点を図２ＡのノードＰ１と表す。
【００４８】
幾つかの実施形態において、図３Ｂに示すように、インダクタＬ２９の第一端は、制御信号ＣＴ６を受信するのに用い、インダクタＬ２９の第二端は、インダクタＬ６３の第一端及び位相シフトスイッチダイオードＤ８１の第一端に結合し、位相シフトスイッチダイオードＤ８１の第二端は、インダクタＬ６３の第二端、キャパシタＣ６３の第一端及びインダクタＬ２１の第一端に結合し、キャパシタＣ６３の第二端は、信号供給点２９１（図２Ａに示すとおり）に結合し、インダクタＬ２１の第二端は、インダクタＬ６４の第一端、位相シフトスイッチダイオードＤ８２の第一端及びキャパシタＣ６４の第一端に結合し、キャパシタＣ６４の第二端は、アンテナ接地端２９２（図２Ｂに示すとおり）に結合し、位相シフトスイッチダイオードＤ８２の第二端は、インダクタＬ６４の第二端及びインダクタＬ２２の第一端に結合し、インダクタＬ２２の第二端は、グランドＧに接続され、キャパシタＣ５５の第一端及びインダクタＬ６７の第一端に結合し、キャパシタＣ５５の第二端は、インダクタＬ６７の第二端に結合し、この結合点を図２ＡのノードＰ２と表す。
【００４９】
幾つかの実施形態において、図３Ｂに示すように、インダクタＬ３０の第一端は、制御信号ＣＴ７を受信するのに用い、インダクタＬ３０の第二端は、インダクタＬ６１の第一端及び位相シフトスイッチダイオードＤ７１の第一端に結合し、位相シフトスイッチダイオードＤ７１の第二端、インダクタＬ６１の第二端、キャパシタＣ６５の第一端及びインダクタＬ２７の第一端に結合し、キャパシタＣ６５の第二端は、信号供給点２９１（図２Ａに示すとおり）に結合し、インダクタＬ２７の第二端は、インダクタＬ６２の第一端、位相シフトスイッチダイオードＤ７２の第一端及びキャパシタＣ６６の第一端に結合し、キャパシタＣ６６の第二端は、アンテナ接地端２９２（図２Ｂに示すとおり）に結合し、位相シフトスイッチダイオードＤ７２の第二端は、インダクタＬ６２の第二端及びインダクタＬ２８の第一端に結合し、インダクタＬ２８の第二端は、グランドＧに接続され、キャパシタＣ５４の第一端及びインダクタＬ６６の第一端に結合し、キャパシタＣ５４の第二端は、インダクタＬ６６の第二端に結合し、この結合点を図２ＡのノードＰ３と表す。
【００５０】
幾つかの実施形態において、図３Ｂに示すように、インダクタＬ３１の第一端は、制御信号ＣＴ８を受信するのに用い、インダクタＬ３１の第二端は、インダクタＬ５９の第一端及び位相シフトスイッチダイオードＤ６１の第一端に結合し、位相シフトスイッチダイオードＤ６１の第二端は、インダクタＬ５９の第二端、キャパシタＣ６７の第一端及びインダクタＬ２５の第一端に結合し、キャパシタＣ６７の第二端は、信号供給点２９１（図２Ａに示すとおり）に結合し、インダクタＬ２５の第二端は、インダクタＬ６０の第一端、位相シフトスイッチダイオードＤ６２の第一端及びキャパシタＣ６８の第一端に結合し、キャパシタＣ６８の第二端は、アンテナ接地端２９２（図２Ｂに示すとおり）に結合し、位相シフトスイッチダイオードＤ６２の第二端は、インダクタＬ６０の第二端及びインダクタＬ２６の第一端に結合し、インダクタＬ２６の第二端は、グランドＧに接続され、キャパシタＣ５３の第一端及びインダクタＬ６５の第一端に結合し、キャパシタＣ５３の第二端は、インダクタＬ６５の第二端に結合し、この結合点を図２ＡのノードＰ４と表す。
【００５１】
幾つかの実施形態において、アンテナデバイス１００は、それぞれ高周波と低周波の２種類の操作周波数を有し、上記２種類の操作周波数は、それぞれ無指向性モード及び指向性モードに対応する。実際の使用において、アンテナデバイス１００の複数の位相シフトスイッチダイオードＤ１１、Ｄ１２、Ｄ２１、Ｄ２２、Ｄ３１、Ｄ３２、Ｄ４１、Ｄ４２の少なくとも２つを導通するように制御することで、低周波帯の無指向性モードまたは指向性モードを切り換える。アンテナデバイス１００の複数の位相シフトスイッチダイオードＤ５１、Ｄ５２、Ｄ８１、Ｄ８２、Ｄ７１、Ｄ７２、Ｄ６１、Ｄ６２の少なくとも２つを導通するように制御することで、高周波帯の無指向性モードまたは指向性モードを切り換える。
【００５２】
幾つかの実施形態において、アンテナデバイス１００が低周波の無指向性モードで操作しようとする時、位相シフトスイッチダイオードＤ１１、Ｄ１２、Ｄ２１、Ｄ２２、Ｄ３１、Ｄ３２、Ｄ４１、Ｄ４２の全てを導通させて、低周波の無指向性の放射パターンを生成する。アンテナデバイス１００が低周波の指向性モードで操作しようとする時、位相シフトスイッチダイオードＤ３１、Ｄ３２、Ｄ４１、Ｄ４２を導通させて、位相シフトスイッチダイオードＤ１１、Ｄ１２、Ｄ２１、Ｄ２２を閉じて、低周波の全エネルギーをアンテナユニット２３０、２４０に集中させて、図２Ａ左下方（即ち、図１で示す３１５度の方向）に伝送するような放射パターンを生成する。位相シフトスイッチダイオードＤ１１、Ｄ１２、Ｄ４１、Ｄ４２を導通させて、位相シフトスイッチダイオードＤ２１、Ｄ２２、Ｄ３１、Ｄ３２を閉じて、低周波の全エネルギーをアンテナユニット２１０、２４０に集中させて、図２Ａ左上方（即ち、図１で示す２２５度の方向）に伝送するような放射パターンを生成する。位相シフトスイッチダイオードＤ１１、Ｄ１２、Ｄ２１、Ｄ２２を導通させて、位相シフトスイッチダイオードＤ３１、Ｄ３２、Ｄ４１、Ｄ４２を閉じて、低周波の全エネルギーをアンテナユニット２１０、２２０に集中させて、図２Ａ右上方（即ち、図１で示す１３５度の方向）に伝送するような放射パターンを生成する。位相シフトスイッチダイオードＤ２１、Ｄ２２、Ｄ３１、Ｄ３２を導通させて、位相シフトスイッチダイオードＤ１１、Ｄ１２、Ｄ４１、Ｄ４２を閉じて、低周波の全エネルギーをアンテナユニット２２０、２３０に集中させて、図２Ａ右下方（即ち、図１で示す４５度の方向）に伝送するような放射パターンを生成する。
【００５３】
上記実施形態において、アンテナデバイス１００は、低周波の放射パターンを切り換える時、アンテナユニット２１０、２２０、２３０、２４０の少なくとも隣接する２つの位相シフトスイッチダイオードを導通させることがわかり、その原因は、アンテナユニット２１０、２２０、２３０、２４０のうちの１つの位相シフトスイッチダイオードだけが導通する場合、反射損失（Ｒｅｔｕｒｎ  Ｌｏｓｓ）が大きくなりすぎることにあるが、アンテナユニット２１０、２２０、２３０、２４０のうちの１つだけが導通することも本発明の保護範囲内にある。
【００５４】
幾つかの実施形態において、アンテナデバイス１００が高周波の無指向性モードまたは指向性モードで操作しようが、低周波の放射パターンはいずれも影響を受けない。詳細には、位相シフトスイッチダイオードＤ５１、Ｄ５２、Ｄ８１、Ｄ８２、Ｄ７１、Ｄ７２、Ｄ６１、Ｄ６２のそれぞれが閉じていようが導通してようが、低周波の放射パターンはいずれもこれと関係が無い。
【００５５】
幾つかの実施形態において、アンテナデバイス１００が高周波の無指向性モードで操作しようとする時、位相シフトスイッチダイオードＤ５１、Ｄ５２、Ｄ６１、Ｄ６２、Ｄ７１、Ｄ７２、Ｄ８１、Ｄ８２の全てを導通させて、高周波の無指向性の放射パターンを生成する。アンテナデバイス１００が高周波の指向性モードで操作しようとする時、位相シフトスイッチダイオードＤ７１、Ｄ７２、Ｄ８１、Ｄ８２を導通させて、位相シフトスイッチダイオードＤ５１、Ｄ５２、Ｄ６１、Ｄ６２を閉じて、高周波の全エネルギーをアンテナユニット２７０、２８０に集中させて、図２Ａ左下方（即ち、図１で示す３１５度の方向）に伝送するような放射パターンを生成する。位相シフトスイッチダイオードＤ５１、Ｄ５２、Ｄ８１、Ｄ８２を導通させて、位相シフトスイッチダイオードＤ６１、Ｄ６２、Ｄ７１、Ｄ７２を閉じて、高周波の全エネルギーをアンテナユニット２５０、２８０に集中させて、図２Ａ左上方（即ち、図１で示す２２５度の方向）に伝送するような放射パターンを生成する。位相シフトスイッチダイオードＤ５１、Ｄ５２、Ｄ６１、Ｄ６２を導通させて、位相シフトスイッチダイオードＤ７１、Ｄ７２、Ｄ８１、Ｄ８２を閉じて、高周波の全エネルギーをアンテナユニット２５０、２６０に集中させて、図２Ａ右上方（即ち、図１で示す１３５度の方向）に伝送するような放射パターンを生成する。位相シフトスイッチダイオードＤ６１、Ｄ６２、Ｄ７１、Ｄ７２を導通させて、位相シフトスイッチダイオードＤ５１、Ｄ５２、Ｄ８１、Ｄ８２を閉じて、高周波の全エネルギーをアンテナユニット２６０、２７０に集中させて、図２Ａ右下方（即ち、図１で示す４５度の方向）に伝送するような放射パターンを生成する。
【００５６】
上記実施形態において、アンテナデバイス１００は、高周波の放射パターンを切り換える時、アンテナユニット２５０、２６０、２７０、２８０の少なくとも隣接する２つの位相シフトスイッチダイオードを導通させることがわかり、その原因は、アンテナユニット２５０、２６０、２７０、２８０のうちの１つの位相シフトスイッチダイオードだけが導通する場合、反射損失が大きくなりすぎることにあるが、アンテナユニット２５０、２６０、２７０、２８０のうちの１つだけが導通することも本発明の保護範囲内にある。
【００５７】
実際の使用において、使用者がある特定のビームフットプリント（Ｂｅａｍ  Ｆｏｏｔｐｒｉｎｔ）に入ったことをアンテナデバイス１００が検出した時、内部の複数のスイッチ（例えば、位相シフトスイッチダイオードＤ１１、Ｄ１２、Ｄ２１、Ｄ２２、Ｄ３１、Ｄ３２、Ｄ４１、Ｄ４２、Ｄ５１、Ｄ５２、Ｄ６１、Ｄ６２、Ｄ７１、Ｄ７２、Ｄ８１、Ｄ８２）を切り換えて全てを導通させて、デュアルバンド無指向性放射パターンを生成する。次いで、複数のアンテナユニット２１０、２２０、２３０、２４０、２５０、２６０、２７０、２８０が受信した受信信号強度指標（Ｒｅｃｅｉｖｅｄ  Ｓｉｇｎａｌ  Ｓｔｒｅｎｇｔｈ  Ｉｎｄｉｃａｔｏｒ，ＲＳＳＩ）に基づき、内部の複数のスイッチ（例えば、位相シフトスイッチダイオードＤ１１、Ｄ１２、Ｄ２１、Ｄ２２、Ｄ３１、Ｄ３２、Ｄ４１、Ｄ４２、Ｄ５１、Ｄ５２、Ｄ６１、Ｄ６２、Ｄ７１、Ｄ７２、Ｄ８１、Ｄ８２）を切り換えて一部を導通させて、使用者を指すようにビームを調整し、アンテナデバイス１００及び使用者の間のデータ伝送レート（Ｄａｔａ  Ｒａｔｅ）が最大になる。
【００５８】
図４Ａ及び図４Ｃを併せて参照すると、図４Ａは、図１〜図３Ｂに示す実施形態のアンテナデバイス１００の操作モードにおける高周波放射パターン図であり、図４Ｃは、図１〜図３Ｂに示す実施形態のアンテナデバイス１００の図４Ａと同じ操作モードにおける低周波放射パターン図である。幾つかの実施形態において、図４Ａ及び図４Ｃが図示する操作モードは、指向角（θ）が９０度の平面であり、高周波の無指向性モードで操作され、この時、アンテナデバイス１００の高周波放射パターン図は、放射パターン４１０（図４Ａに示すとおり）であり、アンテナデバイス１００の低周波放射パターン図は、放射パターン４１１〜４１５（図４Ｃに示すとおり）である。
【００５９】
図４Ｃ示すように、アンテナデバイス１００の低周波放射パターン図は、位相シフトスイッチダイオードＤ３１、Ｄ３２、Ｄ４１、Ｄ４２が閉じる時のアンテナデバイス１００の放射パターン４１１、位相シフトスイッチダイオードＤ２１、Ｄ２２、Ｄ３１、Ｄ３２が閉じる時のアンテナデバイス１００の放射パターン４１２、位相シフトスイッチダイオードＤ１１、Ｄ１２、Ｄ２１、Ｄ２２が閉じる時のアンテナデバイス１００の放射パターン４１３、位相シフトスイッチダイオードＤ１１、Ｄ１２、Ｄ４１、Ｄ４２が閉じる時のアンテナデバイス１００の放射パターン４１４、位相シフトスイッチダイオードＤ１１、Ｄ１２、Ｄ２１、Ｄ２２、Ｄ３１、Ｄ３２、Ｄ４１、Ｄ４２の全てが導通する時のアンテナデバイス１００の放射パターン４１５を含む。上記より、アンテナデバイス１００が高周波の無指向性モード（即ち、アンテナユニット２５０、２６０、２７０、２８０の全てが始動）で操作される時、低周波の指向性モードは、高周波放射パターン４１０の影響を受けず、良好な指向性が保たれることがわかる。
【００６０】
図４Ｂ及び図４Ｄを併せて参照すると、図４Ｂは、図１〜図３Ｂに示す実施形態のアンテナデバイス１００の別の操作モードにおける高周波放射パターン図であり、図４Ｄは、図１〜図３Ｂに示す実施形態のアンテナデバイス１００の図４Ｂと同じ操作モードにおける低周波放射パターン図である。幾つかの実施形態において、図４Ｂ及び図４Ｄが図示する操作モードは、指向角（θ）が６０度の平面であり、高周波の無指向性モードで操作され、この時、アンテナデバイス１００の高周波放射パターン図は、放射パターン４２０（図４Ｂに示すとおり）であり、アンテナデバイス１００の低周波放射パターン図は、放射パターン４２１〜４２５（図４Ｄに示すとおり）である。
【００６１】
図４Ｄに示すように、アンテナデバイス１００の低周波放射パターン図は、位相シフトスイッチダイオードＤ３１、Ｄ３２、Ｄ４１、Ｄ４２が閉じる時のアンテナデバイス１００の放射パターン４２１、位相シフトスイッチダイオードＤ２１、Ｄ２２、Ｄ３１、Ｄ３２が閉じる時のアンテナデバイス１００の放射パターン４２２、位相シフトスイッチダイオードＤ１１、Ｄ１２、Ｄ２１、Ｄ２２が閉じる時のアンテナデバイス１００の放射パターン４２３、位相シフトスイッチダイオードＤ１１、Ｄ１２、Ｄ４１、Ｄ４２が閉じる時のアンテナデバイス１００の放射パターン４２４、位相シフトスイッチダイオードＤ１１、Ｄ１２、Ｄ２１、Ｄ２２、Ｄ３１、Ｄ３２、Ｄ４１、Ｄ４２の全てが導通する時のアンテナデバイス１００の放射パターン４２５を含む。上記より、アンテナデバイス１００が高周波の無指向性モード（即ち、アンテナユニット２５０、２６０、２７０、２８０の全てが始動）で操作される時、低周波の指向性モードは、高周波放射パターン４２０の影響を受けず、良好な指向性が保たれることがわかる。
【００６２】
図５Ａ及び図５Ｃを併せて参照すると、図５Ａは、図１〜図３Ｂに示す実施形態のアンテナデバイス１００の操作モードにおける低周波放射パターン図であり、図５Ｃは、図１〜図３Ｂに示す実施形態のアンテナデバイス１００の図５Ａと同じ操作モードにおける高周波放射パターン図である。幾つかの実施形態において、図５Ａ及び図５Ｃが図示する操作モードは、指向角（θ）が９０度の平面であり、低周波の無指向性モードで操作され、この時、アンテナデバイス１００の低周波放射パターン図は、放射パターン５１０（図５Ａに示すとおり）であり、アンテナデバイス１００の高周波放射パターン図は、放射パターン５１１〜５１５（図５Ｃに示すとおり）である。
【００６３】
図５Ｃに示すように、アンテナデバイス１００の高周波放射パターン図は、位相シフトスイッチダイオードＤ７１、Ｄ７２、Ｄ８１、Ｄ８２が閉じる時のアンテナデバイス１００の放射パターン５１１、位相シフトスイッチダイオードＤ６１、Ｄ６２、Ｄ７１、Ｄ７２が閉じる時のアンテナデバイス１００の放射パターン５１２、位相シフトスイッチダイオードＤ５１、Ｄ５２、Ｄ６１、Ｄ６２が閉じる時のアンテナデバイス１００の放射パターン５１３、位相シフトスイッチダイオードＤ５１、Ｄ５２、Ｄ８１、Ｄ８２が閉じる時のアンテナデバイス１００の放射パターン５１４、位相シフトスイッチダイオードＤ５１、Ｄ５２、Ｄ６１、Ｄ６２、Ｄ７１、Ｄ７２、Ｄ８１、Ｄ８２の全てが導通する時のアンテナデバイス１００の放射パターン５１５を含む。上記より、アンテナデバイス１００が低周波の無指向性モード（即ち、アンテナユニット２１０、２２０、２３０、２４０の全てが始動）で操作される時、高周波の指向性モードは、低周波放射パターン５１０の影響を受けず、良好な指向性が保たれることがわかる。
【００６４】
図５Ｂ及び図５Ｄを併せて参照すると、図５Ｂは、図１〜図３Ｂに示す実施形態のアンテナデバイス１００の別の操作モードにおける低周波放射パターン図であり、図５Ｄは、図１〜図３Ｂに示す実施形態のアンテナデバイス１００の図５Ａと同じ操作モードにおける高周波放射パターン図である。幾つかの実施形態において、図５Ｂ及び図５Ｄが図示する操作モードは、指向角（θ）が６０度の平面であり、低周波の無指向性モードで操作され、この時、アンテナデバイス１００の低周波放射パターン図は、放射パターン５２０（図５Ｂに示すとおり）であり、アンテナデバイス１００の高周波放射パターン図は、放射パターン５２１〜５２５（図５Ｄに示すとおり）である。
【００６５】
図５Ｄに示すように、アンテナデバイス１００の高周波放射パターン図は、位相シフトスイッチダイオードＤ７１、Ｄ７２、Ｄ８１、Ｄ８２が閉じる時のアンテナデバイス１００の放射パターン５２１、位相シフトスイッチダイオードＤ６１、Ｄ６２、Ｄ７１、Ｄ７２が閉じる時のアンテナデバイス１００の放射パターン５２２、位相シフトスイッチダイオードＤ５１、Ｄ５２、Ｄ６１、Ｄ６２が閉じる時のアンテナデバイス１００の放射パターン５２３、位相シフトスイッチダイオードＤ５１、Ｄ５２、Ｄ８１、Ｄ８２が閉じる時のアンテナデバイス１００の放射パターン５２４、位相シフトスイッチダイオードＤ５１、Ｄ５２、Ｄ６１、Ｄ６２、Ｄ７１、Ｄ７２、Ｄ８１、Ｄ８２の全てが導通する時のアンテナデバイス１００の放射パターン５２５を含む。上記より、アンテナデバイス１００が低周波の無指向性モード（即ち、アンテナユニット２１０、２２０、２３０、２４０の全てが始動）で操作される時、高周波の指向性モードは、低周波放射パターン５２０の影響を受けず、良好な指向性が保たれることがわかる。
【００６６】
図６Ａ及び図６Ｃを併せて参照すると、図６Ａは、図１〜図３Ｂに示す実施形態のアンテナデバイス１００の操作モードにおける高周波放射パターン図であり、図６Ｃは、図１〜図３Ｂに示す実施形態のアンテナデバイス１００の図６Ａと同じ操作モードにおける低周波放射パターン図である。幾つかの実施形態において、図６Ａ及び図６Ｃが図示する操作モードは、指向角（θ）が９０度の平面であり、高周波の指向性モード（例えば、位相シフトスイッチダイオードＤ５１、Ｄ５２、Ｄ６１、Ｄ６２は閉じる）で操作される時、この時、アンテナデバイス１００の高周波放射パターン図は、放射パターン６１０（図６Ａに示すとおり）であり、アンテナデバイス１００の低周波放射パターン図は、放射パターン６１１〜６１４（図６Ｃに示すとおり）である。
【００６７】
図６Ｃに示すように、アンテナデバイス１００の低周波放射パターン図は、位相シフトスイッチダイオードＤ３１、Ｄ３２、Ｄ４１、Ｄ４２、Ｄ５１、Ｄ５２、Ｄ６１、Ｄ６２が閉じる時のアンテナデバイス１００の放射パターン６１１、位相シフトスイッチダイオードＤ２１、Ｄ２２、Ｄ３１、Ｄ３２、Ｄ５１、Ｄ５２、Ｄ６１、Ｄ６２が閉じる時のアンテナデバイス１００の放射パターン６１２、位相シフトスイッチダイオードＤ１１、Ｄ１２、Ｄ２１、Ｄ２２、Ｄ５１、Ｄ５２、Ｄ６１、Ｄ６２が閉じる時のアンテナデバイス１００の放射パターン６１３、位相シフトスイッチダイオードＤ１１、Ｄ１２、Ｄ４１、Ｄ４２、Ｄ５１、Ｄ５２、Ｄ６１、Ｄ６２が閉じる時のアンテナデバイス１００の放射パターン放射パターン６１４を含む。上記より、アンテナデバイス１００が高周波の指向性モード（例えば、アンテナユニット２３０、２４０は始動）で操作される時でも、低周波の指向性モードは、高周波指向性モードにおける放射パターン６１０の影響を受けず、良好な指向性が保たれることがわかる。
【００６８】
図６Ｂ及び図６Ｄを併せて参照すると、図６Ｂは、図１〜図３Ｂに示す実施形態のアンテナデバイス１００の操作モードにおける高周波放射パターン図であり、図６Ｄは、図１〜図３Ｂに示す実施形態のアンテナデバイス１００の図６Ｂと同じ操作モードにおける低周波放射パターン図である。幾つかの実施形態において、図６Ｂ及び図６Ｄが図示する操作モードは、指向角（θ）が６０度の平面であり、高周波の指向性モード（例えば、位相シフトスイッチダイオードＤ５１、Ｄ５２、Ｄ６１、Ｄ６２は閉じる）で操作される時、アンテナデバイス１００の高周波放射パターン図は、放射パターン６２０（図６Ｂに示すとおり）であり、アンテナデバイス１００の低周波放射パターン図は、放射パターン６２１〜６２４（図６Ｄに示すとおり）である。
【００６９】
図６Ｄに示すように、アンテナデバイス１００の低周波放射パターン図は、位相シフトスイッチダイオードＤ３１、Ｄ３２、Ｄ４１、Ｄ４２、Ｄ５１、Ｄ５２、Ｄ６１、Ｄ６２が閉じる時のアンテナデバイス１００の放射パターン６２１、位相シフトスイッチダイオードＤ２１、Ｄ２２、Ｄ３１、Ｄ３２、Ｄ５１、Ｄ５２、Ｄ６１、Ｄ６２が閉じる時のアンテナデバイス１００の放射パターン６２２、位相シフトスイッチダイオードＤ１１、Ｄ１２、Ｄ２１、Ｄ２２、Ｄ５１、Ｄ５２、Ｄ６１、Ｄ６２が閉じる時のアンテナデバイス１００の放射パターン６２３、位相シフトスイッチダイオードＤ１１、Ｄ１２、Ｄ４１、Ｄ４２、Ｄ５１、Ｄ５２、Ｄ６１、Ｄ６２が閉じる時のアンテナデバイス１００の放射パターン６２４を含む。上記より、アンテナデバイス１００が高周波の指向性モード（例えば、アンテナユニット２３０、２４０は指導）で操作される時、低周波の指向性モードは、高周波指向性モードにおける放射パターン６２０の影響を受けず、良好な指向性が保たれることがわかる。
【００７０】
以上より、本発明は、アンテナデバイス１００において、それぞれ複数の位相シフトスイッチダイオードＤ１１〜Ｄ８２をアンテナユニット２１０〜２８０に設けることで、複数の位相シフトスイッチダイオードＤ１１〜Ｄ８２を介して高周波と低周波の放射パターンを切り換えることができ、アンテナデバイス１００が好ましい前後の比（Ｆｒｏｎｔ  ｔｏ  Ｂａｃｋ  Ｒａｔｉｏ）を有するようになる。
【００７１】
本発明は、実施形態により上記のように開示されているが、本発明を限定するものではなく、この技術に詳しいいかなる者が、本発明の精神と範囲を逸脱せずに、各種変更や修正でき、本発明の保護範囲は、後に添付する特許請求の範囲が限定するものを参照されたい。
【産業上の利用可能性】
【００７２】
好ましい前後の比（Ｆｒｏｎｔ  ｔｏ  Ｂａｃｋ  Ｒａｔｉｏ）を有するアンテナデバイスを提供する。
【符号の説明】
【００７３】
１００：アンテナデバイス
１６０：接地面
１７０：柱
Ｘ、Ｙ、Ｚ：方向
４５度、１３５度、２２５度、３１５度：角度
２１０、２２０、２３０、２４０、２５０、２６０、２７０、２８０：アンテナユニット
２１０ａ、２１０ｂ、２２０ａ、２２０ｂ、２３０ａ、２３０ｂ、２４０ａ、２４０ｂ、２５０ａ、２５０ｂ、２６０ａ、２６０ｂ、２７０ａ、２７０ｂ、２８０ａ、２８０ｂ：放射体
２５１、２５２、２５３、２５４：反射ユニット
２０１、２０２、２１１、２１２、２２１、２２２、２３１、２３２：伝送線
３１０、３２０、３３０、３４０、３５０、３６０、３７０、３８０：スイッチング回路
３１２、３１３、３１４、３１５、３１６、３２２、３２３、３２４、３２５、３２６、３３２、３３３、３３４、３３５、３３６、３４２、３４３、３４４、３４５、３４６、３５２、３６２、３７２、３８２：フィルタ
２９３：基板
２９３ａ：基板の第一表面
２９３ｂ：基板の第二表面
２９１：信号供給点
２９２：アンテナ接地端
Ｇ：グランド
Ｐ１、Ｐ２、Ｐ３、Ｐ４：ノード
Ｄ１１、Ｄ１２、Ｄ２１、Ｄ２２、Ｄ３１、Ｄ３２、Ｄ４１、Ｄ４２、Ｄ５１、Ｄ５２、Ｄ６１、Ｄ６２、Ｄ７１、Ｄ７２、Ｄ８１、Ｄ８２：位相シフトスイッチダイオード
３１１、３２１、３３１、３４１、３５１、３６１、３７１、３８１：インピーダンスユニット
ＣＴ１、ＣＴ２、ＣＴ３、ＣＴ４、ＣＴ５、ＣＴ６、ＣＴ７、ＣＴ８：制御信号
Ｌ１〜Ｌ５２、Ｌ５７〜Ｌ６８：インダクタ
Ｃ１〜Ｃ８、Ｃ３３〜Ｃ６８：キャパシタ
４１０、４１１、４１２、４１３、４１４、４１５、４２０、４２１、４２２、４２３、４２４、４２５、５１０、５１１、５１２、５１３、５１４、５１５、５２０、５２１、５２２、５２３、５２４、５２５、６１０、６１１、６１２、６１３、６１４、６２０、６２１、６２２、６２３、６２４：放射パターン
０、３０、６０、９０、１２０、１５０、−１８０、−１５０、−１２０、−９０、−６０、−３０：角度
０．００、−５．００、−１０．００：放射強度（ｄＢ）
【図１】
2020061730.tif 000003
【図２Ａ】
2020061730.tif 000004
【図２Ｂ】
2020061730.tif 000005
【図３Ａ】
2020061730.tif 000006
【図３Ｂ】
2020061730.tif 000007
【図４Ａ】
2020061730.tif 000008
【図４Ｂ】
2020061730.tif 000009
【図４Ｃ】
2020061730.tif 000010
【図４Ｄ】
2020061730.tif 000011
【図５Ａ】
2020061730.tif 000012
【図５Ｂ】
2020061730.tif 000013
【図５Ｃ】
2020061730.tif 000014
【図５Ｄ】
2020061730.tif 000015
【図６Ａ】
2020061730.tif 000016
【図６Ｂ】
2020061730.tif 000017
【図６Ｃ】
2020061730.tif 000018
【図６Ｄ】
2020061730.tif 000019